(57)【要約】【課題】  製造コストの低減を図ると共に、隣接する帯状体間にブラシマークが発生するのを防ぐことができるチャンネルブラシユニット及び、このチャンネルブラシユニットを取り付けたブラシロールを提供する。【解決手段】  チャンネルブラシユニット１０の帯状体１は、底面１ｂと、この底面１ｂから立設された２つの側面１ａ、１ｃとを備えた断面略コ字状の長尺な部材であって、一方の側面１ｃの高さが、他方の側面１ａの高さよりも低くなるように形成されており、２つのチャンネルブラシ１０ａ、１０ｂの帯状体１、１の一方の側面１ｃ、１ｃの外側が互いに隣接するようにして形成されている。【選択図】図１
2015134063.tif 000002
【特許請求の範囲】
【請求項１】
被清掃面に付着した塵埃等の清掃、あるいは被加工面の研削、研磨、表面処理、洗浄、ばり取り等の加工をする為に使用するチャンネルブラシユニットにおいて、前記チャンネルブラシユニットは少なくとも２つのチャンネルブラシから形成されてあり、前記チャンネルブラシは、ブラシ片、芯線、及び帯状体、あるいはブラシ片、及び帯状体より構成されてあり、前記ブラシ片が前記芯線及び前記帯状体、あるいは前記帯状体にて挟みつけて折り込んで形成されてあると共に、前記帯状体の一方の側面の高さが他方の側面の高さより低く形成されてあり、２つの前記チャンネルブラシを、互いに隣接するよう形成されてあることを特徴とするチャンネルブラシユニット。
【請求項２】
２つのチャンネルブラシの帯状体の他方の側面の高さより低く形成された一方の外側面を、互いに隣接するよう形成されてあることを特徴とする請求項１に記載のチャンネルブラシユニット。
【請求項３】
２つのチャンネルブラシの帯状体の一方の側面の高さより高く形成された他方の外側面を、互いに隣接するよう形成されてあることを特徴とする請求項１に記載のチャンネルブラシユニット。
【請求項４】
２つのチャンネルブラシの帯状体の他方の側面の高さより低く形成された一方の外側面と、帯状体の一方の側面の高さより高く形成された他方の外側面とを、互いに隣接するよう形成されてあることを特徴とする請求項１に記載のチャンネルブラシユニット。
【請求項５】
筒状ロールの外周面に、その軸方向と略並列状に、請求項１〜４のいずれか１項に記載のチャンネルブラシユニットを多数本、棒状に着脱自在に取り付けたブラシロール。
【発明の詳細な説明】
【技術分野】
【０００１】
本発明は、筒状ロールの外周面の軸方向と略並列状に、多数本のチャンネルブラシユニットを着脱自在に取付けたブラシロール及びこのブラシロールに使用されるチャンネルブラシユニットに関するものである。
【背景技術】
【０００２】
従来から、ブラシ片を芯線とともに概断面コ字状の帯状体にて挟み込んだチャンネルブラシを回転軸の外周に巻き付けて固定した洗浄や研磨などに使用される洗浄等用ブラシにおいて、ブラシ片が幅方向へ周期的に、且つ曲線的に変化するように形成するため、側面の高さを山部と谷部に周期的に、且つ曲線的に変化させ、帯状体の概コ字状の側面は、一方の側面の高さが山部であるときは他方の側面の高さは谷部であるように形成されているものが知られている（特許文献１）。
【０００３】
また、チャンネルブラシの帯状体の長板状の両側面部が波状に屈曲されて凸部と凹部とが長手方向に対して交互に連続して形成されると共に、ブラシ片を上面から視た場合に、ブラシ片の集合密度の高いブラシ片密集部が、チャンネルブラシの長手方向に飛び石状に連続して形成されると共に、ブラシ片密集部の周囲に、ブラシ片の集合密度が低いブラシ片散在部が形成されている複数のチャンネルブラシの帯状体同士を取り付け部材を介して一体的に連結させてブラシユニットとし、該ブラシユニットを筒状ロールの外周面に着脱自在に取り付けたものが知られている（特許文献２）。
【０００４】
また、ブラシ材の基部を略Ｕ形のチャンネル内に挟着保持させてなるチャンネルブラシにおいて、Ｕ形のチャンネル側板からブラシ保持片をチャンネル口縁部から底部方向の板幅でチャンネル内方へ向けて切り起こしてブラシ材内部へ介入させたものが知られている（特許文献３）。
【先行技術文献】
【特許文献】
【０００５】
【特許文献１】特許第４７７８１９４号公報
【特許文献２】特開２０１０−２３４４９１号公報
【特許文献３】実開昭６２−１３１６２４号公報
【発明の概要】
【発明が解決しようとする課題】
【０００６】
上記特許文献１に開示されているチャンネルブラシは、ブラシ片の幅方向がジグザグに変化し、隣接する帯状体の隙間が回転軸の長手方向に直交する方向には形成されないので、被洗浄面に対して、一様に当接させる事ができ、一般にブラシマークと呼ばれる、研磨、研削、洗浄残りの発生を防止できるという効果を備えている。しかしながら、帯状体の側面の高さを山部と谷部に周期的に、且つ曲線的に形成する必要があるため加工に手間がかかり、製造コストが嵩むものとなっている。
【０００７】
また、上記特許文献２に開示されているチャンネルブラシも、ブラシマークの発生を防止することができるという効果を備えているものではあるが、帯状体の長板状の両側面部が波状に屈曲されて凸部と凹部とが長手方向に対して交互に連続して形成する必要があることから、製造コストが嵩むものとなっている。
【０００８】
また、上記特許文献３に開示されているチャンネルブラシも同様に、ブラシマークの発生を防止することができるという効果を備えているものではあるが、Ｕ形のチャンネル側板からブラシ保持片をチャンネル口縁部から底部方向の板幅でチャンネル内方へ向けて切り起こしてブラシ材内部へ介入させる加工に手間がかかり、製造コストが嵩むものとなっている。
【０００９】
本発明は、上記課題を解決する為になされたもので、従来のチャンネルブラシと比較して簡易な構造として製造コストの低減を図ると共に、隣接する帯状体間にブラシマークが発生するのを防ぐことができるチャンネルブラシユニット及び、このチャンネルブラシユニットを取り付けたブラシロールを提供することを目的としている。
【課題を解決するための手段】
【００１０】
上記従来の課題を解決する為に、請求項１の発明は、被清掃面に付着した塵埃等の清掃、あるいは被加工面の研削、研磨、表面処理、洗浄、ばり取り等の加工をする為に使用するチャンネルブラシユニットにおいて、前記チャンネルブラシユニットは少なくとも２つのチャンネルブラシから形成されてあり、前記チャンネルブラシは、ブラシ片、芯線、及び帯状体、あるいはブラシ片、及び帯状体より構成されてあり、前記ブラシ片が前記芯線及び前記帯状体、あるいは前記帯状体にて挟みつけて折り込んで形成されてあると共に、前記帯状体の一方の側面の高さが他方の側面の高さより低く形成されてあり、２つの前記チャンネルブラシを、互いに隣接するよう形成されてあることを特徴としている。したがって、側面の高さが低い側のブラシ片が外側に傾斜し、隣接するチャンネルブラシのブラシ片に当接して、ブラシ片の密集度を向上させ、ブラシマークの発生を防止することができる。
【００１１】
請求項２の発明は、請求項１に記載の構成よりなるチャンネルブラシユニットにおいて、２つのチャンネルブラシの帯状体の他方の側面の高さより低く形成された一方の外側面を、互いに隣接するよう形成されてあることを特徴としている。したがって、チャンネルブラシユニットの中央部のブラシ片の密集度を向上させることができ、チャンネルブラシユニットの中央部に、ブラシマークが発生するのを防止することができる。
【００１２】
請求項３の発明は、請求項１に記載の構成よりなるチャンネルブラシユニットにおいて、２つのチャンネルブラシの帯状体の一方の側面の高さより高く形成された他方の外側面を、互いに隣接するよう形成されてあることを特徴としている。したがって、複数のチャンネルブラシユニットを、隣接させた時に、チャンネルブラシユニット間のブラシ片の密集度を向上させて、隣接するチャンネルブラシユニット間に、ブラシマークが発生するのを防止することができる。
【００１３】
請求項４の発明は、請求項１に記載の構成よりなるチャンネルブラシユニットにおいて、２つのチャンネルブラシの帯状体の他方の側面の高さより低く形成された一方の外側面と、帯状体の一方の側面の高さより高く形成された他方の外側面とを、互いに隣接するよう形成されてあることを特徴としている。したがって、側面の高さが低い側のブラシ片が外側に傾斜し、側面の高さが高い側のブラシ片に当接する事で、中央部及び隣接するチャンネルブラシユニット間のブラシ片の密集度を向上させて、中央部及び隣接するチャンネルブラシユニット間に、ブラシマークが発生するのを防止することができる。また、被清掃面にたいして、傾斜したブラシ片の先端部が根元部よりも先行するようにチャンネルブラシユニットを当接させた場合には、被清掃面にたいして、傾斜したブラシ片の根元部が先端部よりも先行するようにチャンネルブラシユニットを当接させた場合に比べて、強い掃き出し効果を有することができる。さらにまた、被清掃面にたいして、傾斜したブラシ片の根元部が先端部よりも先行するようにチャンネルブラシユニットを当接させた場合には、被清掃面にたいして撫ぜるようにソフトに当接させることができ、長期にわたり清掃効果を増大させることができる等、ブラシ片の先端部を斜めにカットするのと同様の効果を奏することができる。
【００１４】
請求項５の発明は、ブラシロールであって、筒状ロールの外周面に、その軸方向と略並列状に、請求項１〜４のいずれか１項に記載のチャンネルブラシユニットを多数本、棒状に着脱自在に取り付けたことを特徴としている。したがって、請求項１〜４のチャンネルブラシユニットを搭載したブラシロールを使用することによって、ブラシマークが発生するのを防止することができる。
【発明の効果】
【００１５】
請求項１の発明では、ブラシマークの発生を防止することができるチャンネルブラシユニットを提供することができる。また、請求項２の発明では、中央部のブラシ片の密集度を向上させることができるので、チャンネルブラシユニットの短手方向の幅を狭くすることができる。また、請求項３の発明では、ブラシ片の広がりができるので、広い幅で除塵効果を向上させることができる。また、請求項４の発明では、被清掃面にたいするチャンネルブラシユニットの当接状態を変えることにより、強い掃き出し効果、あるいはブラシ片の先端部を斜めにカットするのと同様の効果を奏することができる。また、請求項５の発明では、ブラシマークの発生を防止することができるブラシロールを提供することができる。
【図面の簡単な説明】
【００１６】
【図１】（ａ）本発明に係るチャンネルブラシユニットの第１実施形態を示す正面図（ｂ）同斜視図
【図２】（ａ）本発明に係るチャンネルブラシユニットの第２実施形態を示す正面図（ｂ）同斜視図
【図３】（ａ）本発明に係るチャンネルブラシユニットの第３実施形態を示す正面図（ｂ）同斜視図
【図４】第１実施形態のチャンネルブラシユニットに取り付け部材を装着した状態の斜視図
【図５】本発明に係るブラシロールを示す縦断面図
【図６】他の実施の形態のブラシロールに使用するブラシ片の拡大図
【発明を実施するための形態】
【００１７】
以下、本発明の実施の形態について、図面を参照しながら説明する。なお、この実施の形態により本発明が限定されるものではない。
【００１８】
図１（ａ）は、本発明に係るチャンネルブラシユニットの第１実施形態を示す正面図であり、図１（ｂ）は、同斜視図である。第１実施形態のチャンネルブラシユニット１０は、被清掃面に付着した塵埃等の清掃、あるいは被加工面の研削、研磨、表面処理、洗浄、ばり取り等の加工をする為に使用されるものであって、２つのチャンネルブラシ１０ａ、１０ｂから形成されている。そして、２つのチャンネルブラシ１０ａ、１０ｂは、各々ブラシ片２、芯線３、及び帯状体１から構成されている。
【００１９】
ここで、帯状体１は、底面１ｂと、この底面１ｂから立設された２つの側面１ａ、１ｃとを備えた断面略コ字状の長尺な部材である。そして、一方の側面１ｃの高さが、他方の側面１ａの高さよりも低くなるように形成されている。また、芯線３は、帯状体１の長手方向の一方の端部から他方の端部まで延びており、芯線３と帯状体１とによって、ブラシ片２の一部が挟みつけられて、帯状体１の内部に折り込まれて形成されている。尚、芯線３を使用しないで、帯状体１のみによって、ブラシ片２の一部が挟みつけられて、帯状体１の内部に折り込まれて形成される構成としてもよく、これも本発明に含まれるものである。
【００２０】
そして、２つのチャンネルブラシ１０ａ、１０ｂの帯状体１、１の他方の側面１ａ、１ａの高さより低く形成された一方の側面１ｃ、１ｃの外側が互いに隣接するようにして溶接等により固定してチャンネルブラシユニット１０は形成されている。チャンネルブラシユニット１０を上記のように形成することによって、低く形成された一方の側面１ｃ、１ｃ側のブラシ片が、帯状体の外側に傾斜することとなり、チャンネルブラシユニット１０の中央部のブラシ片２ａの密集度を向上させることができ、チャンネルブラシユニット１０の中央部に、ブラシマークが発生するのを防止することができる。尚、側端部のブラシ片２ｂ、２ｂの密集度は、中央部のブラシ片２ａと比較して疎となっている。
【００２１】
図２（ａ）は、本発明に係るチャンネルブラシユニットの第２実施形態を示す正面図であり、図２（ｂ）は、同斜視図である。第２実施形態のチャンネルブラシユニット２０は、２つのチャンネルブラシ２０ａ、２０ｂから形成されている。そして、２つのチャンネルブラシ２０ａ、２０ｂは、各々ブラシ片２、芯線３、及び帯状体１１から構成されている。
【００２２】
ここで、帯状体１１は、底面１１ｂと、この底面１１ｂから立設された２つの側面１１ａ、１１ｃとを備えた断面略コ字状の長尺な部材である。そして、一方の側面１１ｃの高さが、他方の側面１１ａの高さよりも低くなるように形成されている。また、芯線３は、帯状体１１の長手方向の一方の端部から他方の端部まで延びており、芯線３と帯状体１１とによって、ブラシ片２の一部が挟みつけられて、帯状体１１の内部に折り込まれて形成されている。尚、芯線３を使用しないで、帯状体１１のみによって、ブラシ片２の一部が挟みつけられて、帯状体１１の内部に折り込まれて形成される構成としてもよく、これも本発明に含まれるものである。
【００２３】
そして、２つのチャンネルブラシ２０ａ、２０ｂの帯状体１１、１１の一方の側面１１ｃ、１１ｃの高さより高く形成された一方の側面１１ａ、１１ａの外側が互いに隣接するようにして溶接等により固定してチャンネルブラシユニット２０は形成されている。チャンネルブラシユニット２０を上記のように形成することによって、低く形成された一方の側面１１ｃ、１１ｃ側の側端部のブラシ片２ｄ、２ｄが、帯状体の外側に傾斜することとなる。したがって、複数のチャンネルブラシユニット２０、２０・・・を、隣接させた時に、チャンネルブラシユニット２０間のブラシ片の密集度を向上させて、隣接するチャンネルブラシユニット２０間に、ブラシマークが発生するのを防止することができる。尚、複数のチャンネルブラシユニット２０、２０・・・を、隣接させた時には、中央部のブラシ片２ｃの密集度は、側端部のブラシ片２ｄ、２ｄと比較して疎となっている。
【００２４】
図３（ａ）は、本発明に係るチャンネルブラシユニットの第３実施形態を示す正面図であり、図３（ｂ）は、同斜視図である。第３実施形態のチャンネルブラシユニット３０は、２つのチャンネルブラシ３０ａ、３０ｂから形成されている。そして、２つのチャンネルブラシ３０ａ、３０ｂは、各々ブラシ片２、芯線３、及び帯状体２１から構成されている。
【００２５】
ここで、帯状体２１は、底面２１ｂと、この底面２１ｂから立設された２つの側面２１ａ、２１ｃとを備えた断面略コ字状の長尺な部材である。そして、一方の側面２１ｃの高さが、他方の側面２１ａの高さよりも低くなるように形成されている。また、芯線３は、帯状体２１の長手方向の一方の端部から他方の端部まで延びており、芯線３と帯状体２１とによって、ブラシ片２の一部が挟みつけられて、帯状体２１の内部に折り込まれて形成されている。尚、芯線３を使用しないで、帯状体２１のみによって、ブラシ片２の一部が挟みつけられて、帯状体２１の内部に折り込まれて形成される構成としてもよく、これも本発明に含まれるものである。
【００２６】
そして、２つのチャンネルブラシ３０ａ、３０ｂの帯状体２１の他方の側面２１ａの高さより低く形成された一方の側面２１ｃの外側と、帯状体２１の一方の側面２１ｃの高さより高く形成された他方の側面２１ａの外側とを、互いに隣接するようにして溶接等により固定してチャンネルブラシユニット３０は形成されている。チャンネルブラシユニット３０を上記のように形成することによって、側面の高さが低い側のブラシ片が外側に傾斜し、側面の高さが高い側のブラシ片に当接する事で、中央部のブラシ片２ｅ及び隣接するチャンネルブラシユニット間のブラシ片２ｆ、２ｆの密集度を向上させて、中央部及び隣接するチャンネルブラシユニット３０間に、ブラシマークが発生するのを防止することができる。
【００２７】
図４は、第１実施形態のチャンネルブラシユニットに取り付け部材を装着した状態の斜視図である。チャンネルブラシユニット４０は、チャンネルブラシユニット１０の長手方向の両端に、取り付け部材５、５が取り付けられている。この取り付け部材５には、取り付け穴５ａが形成されている。尚、チャンネルブラシユニット１０への取り付け部材５の取り付け方法は、ネジ止め、引っ掛け方式又は、溶着など、作業性、生産性等を考慮して適宜決定すると良い。
【００２８】
図５は、本発明に係るブラシロールを示す縦断面図である。ブラシロール１００は、外周面に複数のチャンネルブラシユニット４０が並列に、かつ密接状態で取り付けられた筒状ロール１０１と、筒状ロール１０１の両端に各々取付けられた端面盤１０３と、端面盤１０３の回転中心部に組みつけられた回転軸１０２から構成されている。
【００２９】
本実施例では、各チャンネルブラシユニット４０は、回転軸１０２に対して約７度傾けた状態で、取り付け穴５ａを通してネジやボルト（図示せず）で、筒状ロール１０１の外周面に着脱自在に取り付けられるようになっている。
【００３０】
特に、本実施例では、２のチャンネルブラシ１０ａ、１０ｂからなるチャンネルブラシユニット４０を用いているので、筒状ロール１０１の外周面への多数本のチャンネルブラシの着脱は、作業能率を向上させることができる。
【００３１】
図６は、他の実施の形態のブラシロール１００に使用するブラシ片２を拡大した図である。本形態においては、個々のブラシ片２の先端部が、矢印で示すブラシロールの回転方向に対して、前部２ｇが低く、後部２ｈが高くなるようにして傾斜面が形成されてある。したがって、被洗浄面に対してブラシ片２の傾斜面が接触することになるので、接触面積が大きくなり、洗浄効果を増大させることができる。
【産業上の利用可能性】
【００３２】
本発明のチャンネルブラシユニット及びブラシロールは、被清掃面に付着した塵埃等の清掃、あるいは被加工面の研削、研磨、表面処理、洗浄、ばり取り等の加工をする為に使用される。
【符号の説明】
【００３３】
１、１１、２１  帯状体
１ａ、１ｃ、１１ａ、１１ｃ、２１ａ、２１ｃ  側面
１ｂ、１１ｂ、２１ｂ  底面
２、２ａ、２ｂ、２ｃ、２ｄ、２ｅ、２ｆ  ブラシ片
２ｇ  前部
２ｈ  後部
３  芯線
５  取り付け部材
５ａ  取り付け穴
１０ａ、１０ｂ、２０ａ、２０ｂ、３０ａ、３０ｂ  チャンネルブラシ
１０、２０、３０、４０  チャンネルブラシユニット
１００  ブラシロール
１０１  筒状ロール
１０２  回転軸
１０３  端面盤
【図１】
2015134063.tif 000003
【図２】
2015134063.tif 000004
【図３】
2015134063.tif 000005
【図４】
2015134063.tif 000006
【図５】
2015134063.tif 000007
【図６】
2015134063.tif 000008